(57)【要約】【課題】機器操作の効率化、作業時間の短縮、作業コストの低減、環境負荷の低減等のニーズに対応可能な操作手順を容易に選択可能とすることである。【解決手段】遠方監視制御装置と計算機システムとを備え、計算機システムは、各機器の設備情報と各機器の位置情報と作業を行う作業班の位置とが保存された設備情報記憶部と、状態情報記憶部及び設備情報記憶部に保存された情報に基づいて系統変更を行うための操作手順を作成する手順作成手段と、設備情報記憶部及び状態情報記憶部に保存された情報を地図上に配置された配電系統機器と共に表示装置に表示出力する地図情報表示手段と、手順作成手段が作成した操作手順を設備情報記憶部に保存されている作業班の位置情報と各操作対象機器の位置情報とから移動距離が最短となる操作順序に並び替える手順並び替え手段とを備える。【選択図】  図１
2010273516.tif 000002
【特許請求の範囲】
【請求項１】
配電系統を構成する遮断器や開閉器の状態及び各機器を通過する電流値や電圧値を取り込む遠方監視制御装置と、前記遠方監視制御装置から取り込んだ情報に基づいて送電形態の変更が必要となった際に送電形態を変更するための遮断器と開閉器の操作手順を作成する計算機システムとを備えた配電系統監視制御装置において、前記計算機システムは、前記遠方監視制御装置から取り込んだ情報を保存する状態情報記憶部と、各機器の設備情報と各機器の位置情報と作業を行う作業班の位置とが保存された設備情報記憶部と、前記状態情報記憶部及び前記設備情報記憶部に保存された情報に基づいて系統変更を行うための操作手順を作成する手順作成手段と、前記設備情報記憶部及び前記状態情報記憶部に保存された情報を地図上に配置された配電系統機器と共に表示装置に表示出力する地図情報表示手段と、前記手順作成手段が作成した操作手順を前記設備情報記憶部に保存されている作業班の位置情報と各操作対象機器の位置情報とから移動距離が最短となる操作順序に並び替える手順並び替え手段とを備えたことを特徴とする配電系統監視制御装置。
【請求項２】
前記設備情報記憶部は、各機器間の移動に要する予想移動時間を予め記憶しておき、前記手順並び替え手段は、前記手順作成手段で作成した手順を、前記設備情報記憶部に記憶された予想移動時間から全体の移動時間が最短となる操作順序に並び替えることを特徴とする請求項１記載の配電系統監視制御装置。
【請求項３】
前記手順並び替え手段は、前記遠方監視制御装置からの現在の交通情報に基づいて、各機器から機器への予想移動時間に交通情報を加味した予想移動時間を算出し、交通情報を加味した予想移動時間に基づいて全体の移動時間が最短となる操作順序に並び替えることを特徴とする請求項２記載の配電系統監視制御装置。
【請求項４】
入力装置から入力された作業を行う作業班の数と各班の位置とを前記設備情報記憶部に記憶する班情報入力手段を有し、前記手順並び替え手段は、前記手順作成手段で作成した手順を、複数の班で操作を実施した場合の移動時間が最短となる操作順序に並び替えることを特徴とする請求項２または請求項３に記載の配電系統監視制御装置。
【請求項５】
前記班情報入力手段は、入力装置から入力された各作業班が使用する車両の移動距離・移動時間あたりのＣＯ２排出量を前記設備情報記憶部に記憶し、前記手順並び替え手段は、前記手順作成手段で作成した手順を、車両が排出するＣＯ２排出量を最小とする操作順序に並び替えることを特徴とする請求項４に記載の配電系統監視制御装置。
【請求項６】
前記移動時間、前記移動距離、前記ＣＯ２排出量の何れの条件を加味するかの条件間の優先順位が入力装置から入力されたとき前記設備情報記憶部に記憶する判定条件入力手段を有し、前記手順並び替え手段は、前記手順作成手段で作成した手順を、判定条件入力手段により指定された優先度に従った操作順序に並び替えることを特徴とする請求項５に記載の配電系統監視制御装置。
【請求項７】
前記地図情報表示手段は、前記手順並び替え手段で作成した操作順序に基づく各作業班の移動経路を各機器の座標に基づき地図上に表示することを特徴とする請求項１乃至６のいずれか１項に記載の配電系統監視制御装置。
【発明の詳細な説明】
【技術分野】
【０００１】
本発明は、配電系統を監視制御する配電系統監視制御装置に関する。
【背景技術】
【０００２】
一般に、配電系統監視制御装置は、地理的に広範囲に設置されている遮断器や開閉器の状態及び各機器を通過する電流値や電圧値を遠方監視制御装置を経由して計算機システムに取り込み、計算機システムにて、それらの機器の操作を行うものである。計算機システムの表示装置には地図画面を表示し、各機器の座標情報に基づき、地図情報に各機器の配置情報を重ね合わせて各機器の状態を表示するようにしている。
【０００３】
また、計算機システムには、各機器の容量やインピーダンス等の諸元情報(設備情報と呼ぶ)に基づき、通過電流や電圧降下量がしきい値を越えないことを条件とし、機器操作手順を作成する機能を有しており、送電形態の変更にあたっては系統構成を変更するための操作手順を作成し、操作手順に従って機器の操作を行っている。
【０００４】
配電系統操作装置として、配電系統の機器の状態や機器の接続情報及び電力量を基に融通操作手順を求める操作手順作成手段と、現地作業者の現在位置を入力する現在位置入力装置と、配電系統の表示情報を参照し配電系統を構成する機器相互間の地理的位置及び現地作業者の現在位置を考慮し操作手順作成手段にて求めた融通操作手順を入れ替える操作手順再編集手段とを備え、処理速度が速く効率的な事故復旧を可能としたものがある（例えば、特許文献１参照）。
【０００５】
図１９に従来の配電系統監視制御装置の一例を示す構成図である。配電系統監視制御装置は、配電系統を構成する遮断器や開閉器の状態及び各機器を通過する電流値や電圧値を取り込む遠方監視制御装置１１と、遠方監視制御装置１１から取り込んだ情報に基づいて、送電形態の変更が必要となった際に送電形態を変更するための遮断器と開閉器の操作手順を作成する計算機システム１２とからなる。
【０００６】
計算機システム１２は、記憶装置１３、演算制御装置１４、入力装置１５、表示装置１６からなり、遠方監視制御装置１１から取り込んだ情報は、計算機システム１２の記憶装置１３の状態情報記憶部１７に通知され保存される。また、記憶装置１３の設備情報記憶部１８には各機器の容量やインピーダンス等の諸元情報である設備情報が保存されている。演算制御装置１４は、記憶装置１３に記憶された図示省略のプログラムを実行することにより手順作成手段１９や地図情報表示手段２０の機能を発揮する。演算制御装置１４の手順作成手段１９は状態情報記憶部１７と設備情報記憶部１８に保存されている情報から、系統変更を行うための操作手順を作成する。地図情報表示手段２０は、設備情報記憶部１８と状態情報記憶部１７に保存されている情報を地図上に配置されている配電系統機器と共に表示装置１６に表示出力する。
【先行技術文献】
【特許文献】
【０００７】
【特許文献１】特開平６−３１１６４８号公報
【発明の概要】
【発明が解決しようとする課題】
【０００８】
しかし、従来の配電系統監視制御装置では、電流値や電圧値の制約条件を逸脱しない範囲で可能な限り電力の供給支障を発生させない操作手順を作成するものであるが、系統予備力が大きな配電系統では、上記制約条件を満たす操作手順は複数存在し得るので、複数の操作手順から適切な操作点順を選択することが必要となる。すなわち、前述の制約条件を満たした上で、移動時間、移動距離、ＣＯ２排出量といった様々な条件を加味した適切な操作手順を複数の操作手順の中から選出することが望まれる。
【０００９】
本発明の目的は、機器操作の効率化、作業時間の短縮、作業コストの低減、環境負荷の低減等のニーズに対応可能な操作手順を容易に選択できる配電系統監視制御装置を提供することである。
【課題を解決するための手段】
【００１０】
本発明の配電系統監視制御装置は、配電系統を構成する遮断器や開閉器の状態及び各機器を通過する電流値や電圧値を取り込む遠方監視制御装置と、前記遠方監視制御装置から取り込んだ情報に基づいて送電形態の変更が必要となった際に送電形態を変更するための遮断器と開閉器の操作手順を作成する計算機システムとを備えた配電系統監視制御装置において、前記計算機システムは、前記遠方監視制御装置から取り込んだ情報を保存する状態情報記憶部と、各機器の設備情報と各機器の位置情報と作業を行う作業班の位置とが保存された設備情報記憶部と、前記状態情報記憶部及び前記設備情報記憶部に保存された情報に基づいて系統変更を行うための操作手順を作成する手順作成手段と、前記設備情報記憶部及び前記状態情報記憶部に保存された情報を地図上に配置された配電系統機器と共に表示装置に表示出力する地図情報表示手段と、前記手順作成手段が作成した操作手順を前記設備情報記憶部に保存されている作業班の位置情報と各操作対象機器の位置情報とから移動距離が最短となる操作順序に並び替える手順並び替え手段とを備えたことを特徴とする。
【発明の効果】
【００１１】
本発明によれば、機器操作の効率化、作業時間の短縮、作業コストの低減、環境負荷の低減等のニーズに対応可能な操作手順を容易に選択できる配電系統監視制御装置を提供できる。
【図面の簡単な説明】
【００１２】
【図１】本発明の実施の形態に係わる配電系統監視制御装置の構成図。
【図２】本発明の実施の形態の作用を説明するための送電形態移行前の系統状態を表した系統構成の一例を示す構成図。
【図３】本発明の実施の形態の作用を説明するための送電形態移行後の系統状態を表した系統構成の一例を示す構成図。
【図４】図２の送電形態から図３の送電形態に移行する際に手順作成手段１９で作成され操作手順の説明図。
【図５】本発明の実施の形態に係わる設備情報記憶部に保存されている各機器を起点とした他の各機器までの移動距離を表すテーブルの説明図。
【図６】本発明の実施の形態に係わる設備情報記憶部に保存されている作業班の位置を表すテーブルの説明図。
【図７】本発明の実施の形態に係わる設備情報記憶部に保存されている各機器の位置を表すテーブルの説明図。
【図８】本発明の実施の形態に係わる手順並び替え手段が選出した手順候補の一例の説明図。
【図９】本発明の実施の形態に係わる手順並び替え手段で求めた各手順候補毎の距離の説明図。
【図１０】本発明の実施の形態に係わる設備情報記憶部に保存されている各機器を起点とした他の各機器までの予想移動時間を表すテーブルの説明図。
【図１１】本発明の実施の形態に係わる手順並び替え手段で求めた各手順候補毎の移動時間の説明図。
【図１２】本発明の実施の形態に係わる配電系統監視制御装置の他の一例の構成図。
【図１３】図１２に示した配電系統監視制御装置の他の一例における設備情報記憶部に記憶された班情報の説明図。
【図１４】図１２に示した配電系統監視制御装置の他の一例における手順並び替え手段により作成された手順候補１の説明図。
【図１５】図１２に示した配電系統監視制御装置の他の一例における手順並び替え手段により作成された手順候補２の説明図。
【図１６】図１２に示した配電系統監視制御装置の他の一例における設備情報記憶部に記憶された各作業車両のＣＯ２排出量を含む班情報の説明図。
【図１７】本発明の実施の形態に係わる配電系統監視制御装置の別の他の一例の構成図。
【図１８】本発明の実施の形態に係わる配電系統監視制御装置の別の他の一例の設備情報記憶部に格納される判定優先度の説明図。
【図１９】従来の配電系統監視制御装置の構成図。
【発明を実施するための形態】
【００１３】
以下、本発明の実施の形態について図面を参照して説明する。図１は本発明の実施の形態に係わる配電系統監視制御装置の一例の構成図である。図１９に示した従来例に対し、手順並び替え手段２１を追加して設け、設備情報記憶部１８には、各機器の設備情報に加え、各機器の位置情報と作業を行う作業班の位置とが予め記憶されている。そして、手順並び替え手段２１は、手順作成手段１９が作成した操作手順を設備情報記憶部１８に保存されている作業班の位置情報と各操作対象機器の位置情報とから移動距離が最短となる操作順序に並び替えるようにしたものである。図１９と同一要素には同一符号を付し重複する説明は省略する。
【００１４】
図１において、配電系統監視制御装置は、遠方監視制御装置１１と計算機システム１２とから構成され、遠方監視制御装置１１は、計算機システム１２と配電系統機器の間に入り機器状態等の情報の授受を行う。状態情報記憶部１７や設備情報記憶部１８を格納した記憶装置１３は、計算機システム１２に実装されるメモリやディスク等の記憶装置により実現されている。遠方監視制御装置１１は、計算機システム１２と伝送路により接続され、例えばマイコン制御により現場機器の監視制御を行う。演算制御装置１４の手順作成手段１９、地図情報表示手段２０、手順並び替え手段２１は、記憶装置１３に予め格納された図示省略のプログラムを演算制御装置１４が実行することにより、その機能が達成される。
【００１５】
遠方監視制御装置１１から取り込んだ情報は計算機システム１２の記憶部１３の状態情報記憶部１７に記憶される。また、設備情報記憶部１８には、予め入力装置１５から各機器の設備情報と各機器の位置情報と作業を行う作業班の位置とが入力され保存されている。
【００１６】
手順作成手段１９は、状態情報記憶部１７及び設備情報記憶部１８に保存された情報に基づいて系統変更を行うための操作手順を作成し、必要に応じて表示装置１６に表示出力する。また、地図情報表示手段２０は設備情報記憶部１７及び状態情報記憶部１８に保存された情報を地図上に配置された配電系統機器と共に表示装置１６に表示出力する。また、手順並び替え手段２１は、手順作成手段１９が作成した操作手順を設備情報記憶部１８に保存されている作業班の位置情報と各操作対象機器の位置情報とから移動距離が最短となる操作順序に並び替え、必要に応じて表示装置１６に表示出力する。
【００１７】
次に、図２は送電形態移行前の系統状態を表した系統構成の一例を示す構成図、図３は送電形態移行前の系統状態を表した系統構成の一例を示す構成図である。図２及び図３では、入り状態の開閉器ＳＷを白丸、切り状態の開閉器ＳＷを黒丸で示している。
【００１８】
図２において、遮断器ＣＢ１から送電される配電系統は、開閉器ＳＷ１から各開閉器ＳＷ２〜ＳＷ５、開閉器ＳＷ６〜ＳＷ９まで接続されている。開閉器ＳＷ５と開閉器ＳＷ９とは切開閉器であり、隣接する別配電線と接続している。図３において、送電形態変更後においては、遮断器ＣＢ１から送電される配電系統は開閉器ＳＷ１〜ＳＷ４、開閉器ＳＷ１〜ＳＷ７が送電範囲となっている。
【００１９】
図２の送電形態から図３の送電形態に移行するにあたり、手順作成手段１９は各開閉器ＳＷの操作手順を作成する。図４は図２の送電形態から図３の送電形態に移行する際に手順作成手段１９で作成され操作手順の説明図である。図４に示すように、手順作成手段１９は、図２の切り状態であった開閉器ＳＷ５を入、入り状態であった開閉器ＳＷ４を切、切り状態であった開閉器ＳＷ９を入、入り状態であった開閉器ＳＷ７を切とする。
【００２０】
図５は本発明の実施の形態に係わる設備情報記憶部１８に保存されている各機器を起点とした他の各機器までの移動距離を表すテーブルの説明図である。図５に示すように、設備情報記憶部１８には、各機器を起点とした他の各機器までの移動距離を表すテーブルが格納されている。例えば、開閉器ＳＷ１から他の開閉器ＳＷ２〜ＳＷ９までの距離は、５ｋｍ、８ｋｍ、１０ｋｍ、１４ｋｍ、２８ｋｍ、３０ｋｍ、３７ｋｍ、４０ｋｍである。同様に、開閉器ＳＷ２から他の開閉器ＳＷ１、ＳＷ３〜ＳＷ９までの距離は、５ｋｍ、４ｋｍ、８ｋｍ、１０ｋｍ、１９ｋｍ、２２ｋｍ、２５ｋｍ、２８ｋｍである。以下、同様に、開閉器ＳＷ１〜ＳＷ９から自己の開閉器を除いた他の開閉器ＳＷまでの距離がテーブルに格納されている。
【００２１】
図６は本発明の実施の形態に係わる設備情報記憶部１８に保存されている作業班の位置を表すテーブルの説明図である。作業班は、例えば作業所などに詰めている作業者であり、作業員が常時詰めいている場所がＸＹ座標で表されている。
【００２２】
図７は本発明の実施の形態に係わる設備情報記憶部１８に保存されている各機器の位置を表すテーブルの説明図である。各機器は、遮断器ＣＢ１や開閉器ＳＷ１〜ＳＷ９であり、これらの機器が設置されている場所がＸＹ座標で表されている。
【００２３】
手順並び替え手段２１は、手順作成手段１９が作成した操作手順を、設備情報記憶部１８に保存されている作業班の位置情報と各操作対象機器の位置情報とから移動距離が最短となる操作順序に並び替える。図８は手順並び替え手段２１が選出した手順候補の一例の説明図であり、図８（ａ）は手順候補１、図８（ｂ）は手順候補２を示している。
【００２４】
手順並び替え手段２１は、手順の並び替え候補として、設備情報記憶部１８に保存されている図２に示す系統の接続情報から図８に表す手順候補を選出する。手順並び替え手段２１は、図８（ａ）、（ｂ）に表した各手順候補について、移動距離を計算するにあたっては、図６に示す作業班の位置と図７に示す各機器の位置とから、図８（ａ）に示す手順番号１に示される機器までの移動距離を求める。
【００２５】
まず、手順候補１については手順番号１の機器である開閉器ＳＷ５までの距離は２１ｋｍであり、手順候補２については手順番号１の機器である開閉器ＳＷ９までの距離は１７ｋｍであったとする。
【００２６】
手順並び替え手段２１は、、図５に示される各機器間の距離から各手順候補毎の移動距離を求める。図９は手順並び替え手段２１で求めた各手順候補毎の距離の説明図である。図９に示すように、手順候補１の場合は、初期位置から開閉器ＳＷ５までの距離は２１ｋｍ、開閉器ＳＷ５と開閉器ＳＷ４との間の距離は８ｋｍ、開閉器ＳＷ４と開閉器ＳＷ９との間の距離は１２ｋｍ、開閉器ＳＷ９と開閉器ＳＷ７との間の距離は４ｋｍであり、合計で４５ｋｍである。一方、手順候補２の場合は、初期位置から開閉器ＳＷ９までの距離は１７ｋｍ、開閉器ＳＷ９と開閉器ＳＷ７との間の距離は４ｋｍ、開閉器ＳＷ７と開閉器ＳＷ５との間の距離は１１ｋｍ、開閉器ＳＷ５と開閉器ＳＷ４との間の距離は８ｋｍであり、合計で４０ｋｍである。この結果から、手順並び替え手段２１は距離の短い手順候補２に並び替えて、手順並び替え結果を表示装置１６に表示出力する。
【００２７】
このように、機器操作にあたっての移動距離を最短とすることができるため、系統操作の効率を大幅に向上させることができる。
【００２８】
以上の説明では、機器操作にあたっての移動距離を最短とする場合について説明したが、機器操作にあたっての移動時間を最短とする手順候補に並べ替えることも可能である。この場合は、設備情報記憶部１８に予め各機器を起点とした他の各機器までの予想移動時間を表すテーブルを格納しておくことになる。
【００２９】
図１０は本発明の実施の形態に係わる設備情報記憶部１８に保存されている各機器を起点とした他の各機器までの予想移動時間を表すテーブルの説明図である。図１０に示すように、設備情報記憶部１８には、各機器を起点とした他の各機器までの予想移動時間を表すテーブルが格納されている。例えば、開閉器ＳＷ１から他の開閉器ＳＷ２〜ＳＷ９までの予想移動時間は、６分、７分、１１分、１６分、３２分、３５分、３８分、４２分である。同様に、開閉器ＳＷ２から他の開閉器ＳＷ１、ＳＷ３〜ＳＷ９までの距離は、６分、３分、８分、９分、２１分、２２分、２７分、２９分である。以下、同様に、開閉器ＳＷ１〜ＳＷ９から自己の開閉器を除いた他の開閉器ＳＷまでの距離がテーブルに格納されている。
【００３０】
手順並び替え手段２１は、手順作成手段１９で作成した手順を、設備情報記憶部１８に記憶された予想移動時間から全体の移動時間が最短となる操作順序に並び替える。すなわち、手順並び替え手段２１は、図８に表した各手順候補について移動時間を計算するにあたって、図６に示す作業班の位置と図７に示す各機器の位置とから、手順番号１に示される機器までの移動時間を求める。作業班の初期位置から手順番号１に示される機器までの移動時間は、例えば、移動距離を求めた後に平均速度(例えば、１０ｋｍ／時)で除算して求める。
【００３１】
まず、手順候補１については手順番号１の機器である開閉器ＳＷ５までの移動時間は１６分であり、手順候補２については手順番号１の機器である開閉器ＳＷ９までの移動時間は１８分であったとする。
【００３２】
手順並び替え手段２１は、図１０に示される各機器間の予想移動時間から各手順候補毎の移動時間を求める。図１１は手順並び替え手段２１で求めた各手順候補毎の移動時間の説明図である。図１１に示すように、手順候補１の場合は、初期位置から開閉器ＳＷ５までの移動時間は１６分、開閉器ＳＷ５と開閉器ＳＷ４との間の移動時間は７分、開閉器ＳＷ４と開閉器ＳＷ９との間の移動時間は１３分、開閉器ＳＷ９と開閉器ＳＷ７との間の移動時間は３分であり、合計で３９分である。一方、手順候補２の場合は、初期位置から開閉器ＳＷ９までの移動時間は１８分、開閉器ＳＷ９と開閉器ＳＷ７との間の移動時間は３分、開閉器ＳＷ７と開閉器ＳＷ５との間の移動時間は１０分、開閉器ＳＷ５と開閉器ＳＷ４との間の移動時間は７分であり、合計で３８分である。この結果から、手順並び替え手段２１は移動時間の短い手順候補２に並び替えて、手順並び替え結果を表示装置１６に表示出力する。
【００３３】
以上の説明では、予想移動時間は移動距離を求めた後に平均速度(例えば、１０ｋｍ／時)で除算して求めるようにしたが、遠方監視制御装置１１からの現在の交通情報に基づいて、予想移動時間に交通情報を加味した予想移動時間を算出するようにしてもよい。
【００３４】
すなわち、計算機システム１２に遠方監視制御装置１１からの現在の交通情報（渋滞、工事、通行止め、気象条件等）も取り込むようにし、手順並び替え手段２１は、遠方監視制御装置１１からの現在の交通情報に基づいて、各機器から機器への予想移動時間に交通情報を加味した予想移動時間を算出する。そして、設備情報記憶部１８に交通情報を加味した各機器から機器への移動時間を記憶する。そして、手順並び替え手段２１は、交通情報を加味した予想移動時間に基づいて全体の移動時間が最短となる操作順序に並び替える。これにより、手順並び替え手段２１において手順を並び替えた結果、時々刻々変化する交通状況を加味した最短の移動時間とすることが可能になり作業時間を短縮できる。
【００３５】
図１２は本発明の実施の形態に係わる配電系統監視制御装置の他の一例の構成図である。この他の一例は、図１に示した一例に対し、入力装置１５から入力された作業を行う作業班の数と各班の位置とを設備情報記憶部１８に記憶する班情報入力手段２２を追加して設け、手順並び替え手段２１は、手順作成手段１９で作成した手順を、複数の班で操作を実施した場合の移動時間が最短となる操作順序に並び替えるようにしたものである。図１と同一要素には同一符号を付し重複する説明は省略する。
【００３６】
図１２において、班情報入力手段２２は、入力装置１５から入力された作業を実施する可能性のある班の数と各班の位置情報との入力を受け付け、設備情報記憶部１８に記憶する。図１３は設備情報記憶部１８に記憶された班情報の説明図である。図１３に示すように、班の数と、各班の位置情報がＸＹ座標で格納されている。図１３では２つの班である場合を示している。手順並び替え手段２１は手順作成手段１９が作成した操作手順を該設備情報記憶部１８に保存されている作業班の位置情報と各操作対象機器の位置情報とから移動時間が最小となる操作順序に並び替える。
【００３７】
次に、図２の送電形態から図３の送電形態に移行する場合について説明する。図２の送電形態から図３の送電形態に移行するにあたり、手順作成手段１９は、図４に示す操作手順を作成する。そして、手順並び替え手段２１は、手順の並び替え候補として、設備情報記憶部１８に保存されている図２に示す系統の接続情報から図８に表す手順候補を選出する。手順並び替え手段２１は、図８に表した各手順候補について、複数の班で作業するための組合せを作成する。
【００３８】
図１４は手順並び替え手段２１により作成された手順候補１の説明図、図１５は手順並び替え手段２１により作成された手順候補２の説明図である。操作すべき機器は、開閉器ＳＷ５、ＳＷ４、ＳＷ９、ＳＷ７の４つであり、班は２つであることから、２つの班で４つの開閉器ＳＷ５、ＳＷ４、ＳＷ９、ＳＷ７の開閉操作の作業をするための組合せは、（２４＝１６）通りとなる。すなわち、手順候補１、２につき、それぞれ１６通りの組合せとなる。手順並び替え手段２１は、図１４及び図１５に示した各操作手順とその操作を実施する班の組合せ毎に、図１０にて表される各機器間の移動時間を用い、作業開始から修了まで最も移動時間の少ない案に並び替える。
【００３９】
このように、機器操作にあたり、複数の班を有効に活用し、移動時間が最短となる操作手順とすることができるため、系統操作の効率を大幅に向上させることができる。
【００４０】
以上の説明では、各機器間の移動時間を用い作業開始から修了まで最も移動時間の少ない案に並び替えるようにしたが、各作業班が使用する車両の移動距離・移動時間あたりのＣＯ２排出量を最小とする操作順序に並び替えるようにしてもよい。
【００４１】
班情報入力手段２２は、作業を実施する可能性のある班の数と各班の位置情報と各作業班が使用する車両の移動距離・移動時間あたりのＣＯ２排出量の入力を入力装置１５から受け付け、設備情報記憶部１８に記憶する。図１６は各作業車両のＣＯ２排出量を含む班情報の説明図である。
【００４２】
手順並び替え手段２１は手順作成手段１９が作成した操作手順を設備情報記憶部１８に保存されている作業班の位置情報と各操作対象機器の位置情報と車両情報からＣＯ２排出量が最小となる操作順序に並び替える。
【００４３】
この場合、手順並び替え手段２１は、図１４及び図１５に示した各操作手順とその操作を実施する班の組合せ毎に、図１０にて表される各機器間の移動時間と図１６で示される各作業車両のＣＯ２排出量から最もＣＯ２排出量の少ない案に並び替える。このように、機器操作にあたり複数の班を有効に活用し、ＣＯ２排出量が最小となる操作手順とすることができるため、系統操作にあたっての環境負荷を向上させることができる。
【００４４】
図１７は、本発明の実施の形態に係わる配電系統監視制御装置の別の他の一例の構成図である。この別の他の一例は、図１２に示した他の一例に対し、移動時間、移動距離、ＣＯ２排出量の何れの条件を加味するかの条件間の優先順位が入力装置１５から入力されたとき設備情報記憶部１８に記憶する判定条件入力手段２３を設け、手順並び替え手段２１は、手順作成手段１９で作成した手順を、判定条件入力手段２３により指定された優先度に従った操作順序に並び替えるようにしたものである。図１２に示した他の一例と同一要素には同一符号を付し重複する説明は省略する。
【００４５】
設備情報記憶部１８には、各機器の容量やインピーダンス等の諸元情報である設備情報と、各機器の位置情報と、各機器間の移動距離、移動時間、作業を行う作業班の位置と、作業車両のＣＯ２排出量が保存され、さらに、手順の並び替えに当たって考慮すべき条件と各条件の判定優先度とが保存される。図１８は、設備情報記憶部１８に格納される判定優先度の説明図である。図１８では、移動時間、ＣＯ２排出量、移動距離の順に優先度が与えられた場合を示している。手順並び替え手段２１は手順作成手段１２が作成した操作手順を設備情報記憶部１８に保存されている優先度情報に従い最適となる操作順序に並び替える。このように、機器操作にあたり、複数の判定条件に優先度を付与して最適な操作手順とすることができる。
【００４６】
次に、地図情報表示手段２０は、各機器の座標に基づき地図上に各機器を表示するが、それに加えて、手順並び替え手段２１で作成した操作順序に基づく各作業班の移動経路を各機器の座標に基づき地図上に表示するようにしてもよい。すなわち、手順並び替え手段２１にて並び替えた手順に基づき、地図情報表示手段２０により地図に操作経路を表示する。これにより、作業者の移動経路が視覚的に分かり易くなり、系統運用効率を向上させることが可能となる。
【００４７】
本発明の実施の形態によれば、各機器の位置情報、各機器間の移動距離・移動時間と作業班の数と位置と作業用の車両のＣＯ２排出量と手順の並び替えにあたっての判定条件を用いることにより、意図する条件に従い、最適な操作順序を作成することが可能となり、機器操作の効率化、作業時間の短縮、作業コストの低減、環境負荷の低減等のニーズに対応することができる。
【符号の説明】
【００４８】
１１…遠方監視制御装置、１２…計算機システム、１３…記憶装置、１４…演算制御装置、１５…入力装置、１６…表示装置、１７…状態情報記憶部、１８…設備情報記憶部、１９…手順作成手段、２０…地図情報表示手段、２１…手順並び替え手段、２２…班情報入力手段、２３…判定条件入力手段
【図１】
2010273516.tif 000003
【図２】
2010273516.tif 000004
【図３】
2010273516.tif 000005
【図４】
2010273516.tif 000006
【図５】
2010273516.tif 000007
【図６】
2010273516.tif 000008
【図７】
2010273516.tif 000009
【図８】
2010273516.tif 000010
【図９】
2010273516.tif 000011
【図１０】
2010273516.tif 000012
【図１１】
2010273516.tif 000013
【図１２】
2010273516.tif 000014
【図１３】
2010273516.tif 000015
【図１４】
2010273516.tif 000016
【図１５】
2010273516.tif 000017
【図１６】
2010273516.tif 000018
【図１７】
2010273516.tif 000019
【図１８】
2010273516.tif 000020
【図１９】
2010273516.tif 000021